(57)【要約】【課題】本発明は、偏向板等の光回転光学素子を用いた回転角度を容易に微調整もしくは粗調整を再現性良く調整する方法およびその装置を提供することを目的とする。【解決手段】光学機器に用いられる光回転光学素子の回転角度調整方法であって、前記光回転光学素子の外周にウォームホイールまたはそれに類するものを設け、それに噛み合うウォームギアを介して該光回転光学素子を回転させ、該光回転光学素子の回転角度を微調整することを特徴とする光回転光学素子調整方法およびその装置である。【選択図】図１
2005010571.tif 000002
【特許請求の範囲】
【請求項１】
光学機器に用いられる光回転光学素子の回転角度調整方法であって、
前記光回転光学素子の外周にウォームホイールまたはそれに類するものを設け、それに噛み合うウォームギアを介して該光回転光学素子を回転させ、該光回転光学素子の回転角度を微調整することを特徴とする光回転光学素子調整方法。
【請求項２】
前記光回転光学素子が、偏向板からなることを特徴とする請求項１記載の光回転光学素子調整方法。
【請求項３】
請求項１または２記載の光回転光学素子調整方法において、
ウォームギアはウォームホイールの噛み合いから任意に開放される構造からなり、噛み合いから開放されることで、ウォームホイール付きの前記光回転光学素子の回転角度が任意に粗調整を可能とすることを特徴とする光回転光学素子調整方法。
【請求項４】
顕微鏡を備えた光回転光学素子調整装置であって、
前記光回転光学素子の外周にウォームホイールまたはそれに類するものを設け、それに噛み合うウォームギアを介して該光回転光学素子を回転させ、該光回転光学素子の回転角度を微調整する手段と、
ウォームギアはウォームホイールの噛み合いから任意に開放される構造からなり、前記光回転光学素子の回転角度が任意に粗調整を可能とする手段と、
前記顕微鏡を取り付け、取り外し可能で、被観察物に対して前記光回転光学素子を前記顕微鏡の対物レンズの焦点距離の位置に密着固定する手段と、
を備えたことを特徴とする光回転光学素子調整装置。
【発明の詳細な説明】
【０００１】
【発明の属する技術分野】
本発明は、光学測定観察装置における偏向板等の光回転光学素子を用いた回転角度調整が容易に、かつ再現性良く調整することができる光回転光学素子調整方法およびその装置に関する。
【０００２】
【従来の技術】
従来、顕微鏡で対物レンズと被観察物の間に偏向板を介在させて被観察物を観察する場合、偏向板を観察物の上に置いて（図２参照）、あるいは接触できないものは間を空けて何らかの方法で保持し（図３参照）、角度調整は偏向板を手で任意に回転させてみて、条件の満たすポイントで固定、あるいは保持し、観察を行っていた。
【０００３】
【発明が解決しようとする課題】
上記の方法では、偏向板の角度調整に再現性がなく、何度回したか、何度戻すかということが不可能で、被観察物を変える場合、再度調整が必要とする問題点があった。
本発明は、上記の問題点を解決するためになされたもので、偏向板等の光回転光学素子を用いた回転角度を容易に微調整もしくは粗調整を再現性良く調整する方法およびその装置を提供することを目的とする。
【０００４】
【課題を解決するための手段】
上記目的を達成するために、すなわち、請求項１に係る発明は、
光学機器に用いられる光回転光学素子の回転角度調整方法であって、
前記光回転光学素子の外周にウォームホイールまたはそれに類するものを設け、それに噛み合うウォームギアを介して該光回転光学素子を回転させ、該光回転光学素子の回転角度を微調整することを特徴とする光回転光学素子調整方法である。
【０００５】
請求項２に係る発明は、前記光回転光学素子が、偏向板からなることを特徴とする請求項１記載の光回転光学素子調整方法である。
【０００６】
請求項３に係る発明は、請求項１または２記載の光回転光学素子調整方法において、
ウォームギアはウォームホイールの噛み合いから任意に開放される構造となっており、噛み合いから開放されることで、ウォームホイール付きの前記光回転光学素子の回転角度が任意に粗調整を可能とすること特徴とする光回転光学素子調整方法である。
【０００７】
請求項４に係る発明は、顕微鏡を備えた光回転光学素子調整装置であって、
前記光回転光学素子の外周にウォームホイールまたはそれに類するものを設け、それに噛み合うウォームギアを介して該光回転光学素子を回転させ、該光回転光学素子の回転角度を微調整する手段と、
ウォームギアはウォームホイールの噛み合いから任意に開放される構造となっており、前記光回転光学素子の回転角度が任意に粗調整を可能とする手段と、
前記顕微鏡の対物レンズの任意の位置に取り付け、取り外し可能で、被観察物に対して前記光回転光学素子を前記対物レンズの焦点距離の位置に密着固定する手段と、
を備えたことを特徴とする光回転光学素子調整装置である。
【０００８】
【発明の実施の形態】
以下、本発明の好ましい実施態様の一例について図１を参照して説明する。
（１）が市販されている偏向板で、これは外側にウォームホイールを設けた回転可能な輪状の部材（２）に止め輪（３）で固定されている。このウォームホイールを設けた回転部材（２）は外壁の部材（４）の穴に嵌合し、この部材（４）に対して回転可能であるウォームホイールの歯数は、調整が簡単なように３６０歯にしてあり、これに噛み合うウォームホイールを回転させるウォームギア（５）の１回転に対してウォームホイールが１／３６０回転、すなわち１度回転するよう設定されている。これは、１８０歯で１回転２度でも、そのときの状況に応じて必要な歯数で良いが、細かくしたほうが偏向板の角度調整の精度は良い。
【０００９】
また、このウォームホイールに噛み合うウォームギア（５）は支持材（６）により支えられ、支持材（６）に対して回転可能であり、この回転はウォームホイールに伝えられ、ウォームホイールはわずかずつ回転する。
【００１０】
ウォームギアを支持する支持材（６）は、全体のフレーム（４）に対してピン（８）で回転可能な状態で取り付けられており、バネ（９）により強制的にウォームホイールに対しウォームギアは噛み合う方向に押し付けられている。偏向板の回転角を大きく取るときは、このウォームギアとその支持されている部材を、バネの引かれる反対側へ寄せることでウォームホイールとウォームギアの噛み合いは外れ、偏向板付きのウォームホイールは大きく粗動可能となる。
【００１１】
また、回転部材やウォームギア等を支えて取り付けられる外側の部材（４）は、光軸を合わせて対物レンズに自在に取り付けられる様、外周からネジで止められるようになっている。
【００１２】
【発明の効果】
本発明により、偏向板等の光回転光学素子を用いた回転角度を容易に微調整もしくは粗調整を再現性良く調整することのできる光回転光学素子調整方法およびその装置を提供することができる。この光回転光学素子調整装置は、光学機器として好適に用いられるものである。
【図面の簡単な説明】
【図１】本発明の光回転光学素子調整装置の一例を示す斜視図である。
【図２】従来の光回転光学素子としての偏光板の調整方法の一例を説明する説明図である。
【図３】従来の光回転光学素子としての偏光板の調整方法の他の例を説明する説明図である。
【符号の説明】
１・・・偏光板
２・・・輪状部材
３・・・止め輪
４・・・外壁部材
５・・・ウォームギア
６・・・支持体
７・・・顕微鏡対物レンズ
８・・・ピン
９・・・バネ
１０・・・被観察物
【図１】
2005010571.tif 000003
【図２】
2005010571.tif 000004
【図３】
2005010571.tif 000005